(57)【特許請求の範囲】
【請求項１】
インターホン親機または副親機などに付設され、インターホン親機または副親機から出力される音声信号を検知し、その音声信号をスピーカから出力する増設スピーカであって、インターホン親機や副親機からの音声信号を受けたときに、インターホン親機または副親機側へ接続する端子からの１つの接点入力と、該音声信号との組み合わせに応じて報知または警報かを判断する移報信号検知回路と、該移報信号検知回路からの信号により報知音あるいは警報音を出力させるスピーカと、前記移報信号検知回路からの信号に応じて光源を点滅あるいは点灯させる発光制御回路と、を備え、該発光制御回路が報知モードの光源状態表示と警報モードの光源状態表示とに選別して光源を点滅あるいは点灯させて、来客報知や警報報知を選別可能とする表示機能付インターホン増設スピーカ。
【請求項２】
インターホン親機または副親機側へ接続する報知端子、スピーカ端子、及び別の増設スピーカを接続する端子を備え、前記スピーカ端子からの音声信号入力と前記報知端子からのオン接点入力とにより報知と判断し、前記スピーカ端子からの音声信号入力のみで警報と判断する移報信号検知回路を有し、該移報信号検知回路からの信号により報知音あるいは警報音を出力させるスピーカと、前記移報信号検知回路からの信号に応じて光源を点滅あるいは点灯させる発光制御回路と、を備えたことを特徴とする請求項１記載の表示機能付インターホン増設スピーカ。
【請求項３】
インターホン親機または副親機側へ接続する警報端子、スピーカ端子、及び別の増設スピーカを接続する端子を備え、前記スピーカ端子からの音声信号入力と前記警報端子からのオン接点入力とにより警報と判断し、前記スピーカ端子からの音声信号入力のみで報知と判断する移報信号検知回路を有し、該移報信号検知回路からの信号により報知音あるいは警報音を出力させるスピーカと、前記移報信号検知回路からの信号に応じて光源を点滅あるいは点灯させる発光制御回路と、を備えたことを特徴とする請求項１記載の表示機能付インターホン増設スピーカ。
【請求項４】
インターホン親機または副親機側へ接続する移報端子、スピーカ端子、及び別の増設スピーカを接続する端子を備え、前記スピーカ端子からの音声信号入力または前記移報端子からの移報接点入力と、該移報端子接点入力を警報あるいは報知として設定する切替えスイッチからの信号により、警報あるいは報知と判断する移報信号検知回路を有し、該移報信号検知回路からの信号により報知音あるいは警報音を出力させるスピーカと、前記移報信号検知回路からの信号に応じて光源を点滅あるいは点灯させる発光制御回路と、を備えたことを特徴とする請求項１記載の表示機能付インターホン増設スピーカ。
【発明の詳細な説明】
【０００１】
【発明の属する技術分野】
本発明は、インターホン親機や、副親機などに付設されるインターホン増設スピーカに関し、特にインターホン親機や、副親機からの信号に応じて点滅あるいは点灯する発光手段を有するインターホン増設スピーカに関する。
【０００２】
【従来の技術】
従来より増設スピーカは、住戸に設けられた、インターホン親機または副親機などに付設し、使用されてきた。
【０００３】
ここで、インターホン親機または副親機の機能としては、来客のあったことや、多種警報を音や表示をもって、住居人に報知あるいは警報しており、増設スピーカもこのインターホン親機または副親機からの出力を受けて、同様に報知あるいは警報を音や表示にて行っていた。
【０００４】
このような増設スピーカとして、例えば、本発明者が先に開示した特願平９−２０１４１１号に記載されたものがある。このインターホン増設スピーカの要部構成のブロック図を図１３に示す。インターホン増設スピーカは、インターホン親機または副親機から出力される音声信号を検知して、該音声信号を出力する移報信号検知回路１と、該移報信号検知回路１より出力された前記音声信号を受けて、その音声信号を警報音あるいは報知音として出力するスピーカ２と、その音声信号に応じて光源５を点滅あるいは点灯させる発光制御回路４と、インターホン増設スピーカＥを駆動する電源回路３と、を備えた構成となっている。
【０００５】
インターホン増設スピーカのスピーカ端子８をインターホン親機または副親機のスピーカ端子６に接続し、インターホン親機または副親機より出力される音声信号を、移報信号検知回路１で検知する。ここで、音声信号としてはドアホン子器から呼出しを受けたときに、インターホン親機から出力される呼出音や各種センサからの警報音を、インターホン親機から出力する警報音などがある。
【０００６】
インターホン増設スピーカに入力される音声信号は、来客の呼出報知音の場合には短いが、警報音の場合には長くなるので、この違いを発光制御回路４で判別して光源５の点滅周期を変化させている。
【０００７】
図１５によりその動作を説明する。あらかじめ、発光制御回路４に、所定時間（ａ）を設定しておき、音声信号の入力が、所定時間（ａ）を越えると、発光制御回路４は、光源５の点滅周期を自動的に変化させる。
【０００８】
これによって、このインターホン増設スピーカは、インターホン親機や副親機のスピーカ増設端子に接続され、音声信号を受けると、スピーカから各種の報知音を出力させるとともに、その音声信号に応じて光源を点灯あるいは点滅させ、呼出音の聞き取れない高騒音下での住居人や聴覚障害者にも来客報知や、多種警報の選別を、容易に判別させることが出来る。
【０００９】
【発明が解決しようとする課題】
ところが、従来のインターホン増設スピーカでは、図１５に示したように有る一定時間（１０秒程度）経過しないと、各自の所望とする警報あるいは報知の選別が出来ず、高騒音下での住居人や聴覚障害者にとっては、報知あるいは警報の選別が迅速になされないという問題があった。
【００１０】
本発明は、このような問題に鑑みてなされたものであり、高騒音下での住居人や聴覚障害者にとっても、適切且つ迅速に報知あるいは警報がなされることが出来る表示機能付インターホン増設スピーカを提供することを目的としている。
【００１１】
【課題を解決するための手段】
請求項１記載の発明は、インターホン親機または副親機などに付設され、インターホン親機または副親機から出力される音声信号を検知し、その音声信号をスピーカから出力する増設スピーカであって、インターホン親機や副親機からの音声信号を受けたときに、インターホン親機または副親機側へ接続する端子からの１つの接点入力と、該音声信号との組み合わせに応じて報知または警報かを判断する移報信号検知回路と、該移報信号検知回路からの信号により報知音あるいは警報音を出力させるスピーカと、前記移報信号検知回路からの信号に応じて光源を点滅あるいは点灯させる発光制御回路と、を備え、該発光制御回路が報知モードの光源状態表示と警報モードの光源状態表示とに選別して光源を点滅あるいは点灯させて、来客報知や警報報知を選別可能とすることを特徴とするものである。
【００１２】
請求項２記載の発明は、請求項１記載の表示機能付インターホン増設スピーカであって、インターホン親機または副親機側へ接続する報知端子、スピーカ端子、または別の増設スピーカを接続する端子を備え、前記スピーカ端子からの音声信号入力と前記報知端子からのオン接点入力とにより報知と判断し、前記スピーカ端子からの音声信号入力のみで警報と判断する移報信号検知回路を有し、該移報信号検知回路からの信号により報知音あるいは警報音を出力させるスピーカと、前記移報信号検知回路からの信号に応じて光源を点滅あるいは点灯させる発光制御回路と、を備えたことを特徴とするものである。
【００１３】
請求項３記載の発明は、請求項１記載の表示機能付インターホン増設スピーカであって、インターホン親機または副親機側へ接続する警報端子、スピーカ端子、または別の増設スピーカを接続する端子を備え、前記スピーカ端子からの音声信号入力と前記警報端子からのオン接点入力とにより警報と判断し、前記スピーカ端子からの音声信号入力のみで報知と判断する移報信号検知回路を有し、該移報信号検知回路からの信号により報知音または警報音を出力させるスピーカと、前記移報信号検知回路からの信号に応じて光源を点滅あるいは点灯させる発光制御回路と、を備えたことを特徴とするものである。
【００１４】
請求項４記載の発明は、請求項１記載の表示機能付インターホン増設スピーカであって、インターホン親機または副親機側へ接続する移報端子、スピーカ端子、及び別の増設スピーカを接続する端子を備え、前記スピーカ端子からの音声信号入力または前記移報端子からの移報接点入力と、該移報端子接点入力を警報あるいは報知として設定する切替えスイッチからの信号により、警報あるいは報知と判断する移報信号検知回路を有し、該移報信号検知回路からの信号により報知音あるいは警報音を出力させるスピーカと、前記移報信号検知回路からの信号に応じて光源を点滅あるいは点灯させる発光制御回路と、を備えたことを特徴とするものである。
【００１５】
【発明の実施の形態】
以下、本発明に係る表示機能付インターホン増設スピーカの第１の実施の形態を図１、図２及び図３に、第２の実施の形態を図４、図５及び図６に、第３の実施の形態を図７、図８及び図９に、第４の実施の形態を図１０、図１１及び図１２に基づいて夫々詳細に説明する。
【００１６】
「第１の実施の形態」
図１、図２及び図３に示すインターホン増設スピーカは、インターホン親機または副親機側へ接続する報知端子９、スピーカ端子８、及び別の増設スピーカを接続する端子１０を備え、インターホン親機または副親機から出力される音声信号を検知して、音声信号を出力する移報信号検知回路１と、移報信号検知回路１より出力された音声信号を受けて、その音声信号を報知音または警報音として出力するスピーカ２と、その音声信号と報知端子９からの接点入力とに応じて点滅あるいは点灯する光源５と、インターホン増設スピーカＡを駆動する電源回路３とで構成している。
【００１７】
図２に示すように、インターホン増設スピーカＡをインターホン親機または副親機の接続端子に接続し、インターホン親機または副親機より出力される音声信号を、移報信号検知回路１で検知する。該移報信号検知回路１は前記スピーカ端子からの音声信号入力と前記報知端子９からのオン接点入力とにより「報知」と判断し、前記スピーカ端子からの音声信号入力のみで「警報」と判断する。
【００１８】
そして、スピーカ２は移報信号検知回路１からの信号により報知音または警報音を出力する。又同時に増設スピーカ端子１０にも移報信号検知回路１から報知音あるいは警報音の音声信号が出力される。
【００１９】
一方、発光制御回路４は、前記移報信号検知回路１からの信号に応じて光源５を点滅あるいは点灯させる。図３にその動作フローを示す。なお本実施の形態においては、図３における警報モードの光源状態とは点滅であり、報知モードの光源状態とは点灯とされているが、視認性をあげるために警報モードは１秒間に３回点滅、報知モードは１秒間に１回点滅というように各モード毎に、その点滅周期を変えてもよい。
【００２０】
「第２の実施の形態」
図４、図５及び図６に示すインターホン増設スピーカは、インターホン親機または副親機側へ接続する警報端子１１、スピーカ端子８、及び別の増設スピーカを接続する端子１０を備え、インターホン親機または副親機から出力される音声信号を検知して、音声信号を出力する移報信号検知回路１と、移報信号検知回路１より出力された音声信号を受けて、その音声信号を報知音または警報音として出力するスピーカ２と、その音声信号と警報端子１１からの接点入力とに応じて点滅あるいは点灯する光源５と、インターホン増設スピーカＢを駆動する電源回路３とで構成している。なお、本実施の形態の表示機能付インターホン増設スピーカの基本構成は、第１の実施の形態とよく似ており、同じ部分については同一の番号を付してその詳細な説明を省略する。
【００２１】
図５に示すように、インターホン増設スピーカＢをインターホン親機または副親機の接続端子に接続し、インターホン親機または副親機より出力される音声信号を、移報信号検知回路１で検知する。該移報信号検知回路１は前記スピーカ端子からの音声信号入力と前記警報端子１１からのオン接点入力とにより「警報」と判断し、前記スピーカ端子からの音声信号入力のみで「報知」と判断する。
【００２２】
そして、スピーカ２は移報信号検知回路からの信号により報知音または警報音を出力する。又同時に増設スピーカ端子１０にも移報信号検知回路１から報知音あるいは警報音の音声信号が出力される。
【００２３】
一方、発光制御回路４は、前記移報信号検知回路からの信号に応じて光源５を点滅あるいは点灯させる。なお本実施の形態においては、図６における警報モードの光源状態とは点滅であり、報知モードの光源状態とは点灯とされているが、視認性をあげるために警報モードは１秒間に３回点滅、報知モードは１秒間に１回点滅というように各モード毎に、その点滅周期を変えてもよい。
【００２４】
「第３の実施の形態」
図７、図８及び図９に示すインターホン増設スピーカは、インターホン親機または副親機側へ接続する警報端子１３、報知端子１４、スピーカ端子８、及び別の増設スピーカを接続する端子１０を備え、インターホン親機または副親機から出力される音声信号を検知して、音声信号を出力する移報信号検知回路１と、移報信号検知回路１より出力された音声信号を受けて、その音声信号を報知音または警報音として出力するスピーカ２と、その音声信号と警報端子１３からの接点入力と報知端子１４からの接点入力とに応じて点滅あるいは点灯する光源５と、インターホン増設スピーカＣを駆動する電源回路３とで構成している。なお、本実施の形態の表示機能付インターホン増設スピーカの基本構成は、第１の実施の形態とよく似ており、同じ部分については同一の番号を付してその詳細な説明を省略する。
【００２５】
インターホン増設スピーカＣをインターホン親機または副親機の接続端子に接続し、インターホン親機または副親機より出力される音声信号を、移報信号検知回路１で検知する。該移報信号検知回路１は前記スピーカ端子８からの信号入力と前記警報端子１３からのオン接点入力とにより「警報」と判断し、前記報知端子１４からのオン接点入力とにより「報知」と判断する。
【００２６】
そして、スピーカ２は移報信号検知回路からの信号により報知音あるいは警報音を出力する。又同時に増設スピーカ端子１０にも移報信号検知回路１から報知音あるいは警報音の音声信号が出力される。
【００２７】
一方、発光制御回路４は、前記移報信号検知回路からの信号に応じて光源５を点滅あるいは点灯させる。図９にその動作フローを示す。なお本実施の形態においては、図９における警報モードの光源状態とは点滅であり、報知モードの光源状態とは点灯とされているが、視認性をあげるために警報モードは１秒間に３回点滅、報知モードは１秒間に１回点滅というように各モード毎に、その点滅周期を変えてもよい。
【００２８】
「第４の実施の形態」
図１０、図１１及び図１２に示すインターホン増設スピーカは、インターホン親機または副親機側へ接続する移報端子１７、スピーカ端子８、及び別の増設スピーカを接続する接続端子１０を備え、インターホン親機または副親機から出力される音声信号を検知して、音声信号を出力する移報信号検知回路１と、インターホン親機または副親機から出力される音声信号を、警報あるいは報知として検知するよう設定する警報／報知設定スイッチ１５と、前記移報信号検知回路１より出力された音声信号を受けて、その音声信号を報知音あるいは警報音として出力するスピーカ２と、その音声信号と移報端子１７からの接点入力とに応じて点滅あるいは点灯する光源５と、インターホン増設スピーカＤを駆動する電源回路３とで構成している。なお、本実施の形態の表示機能付インターホン増設スピーカの基本構成は、第１の実施の形態とよく似ており、同じ部分については同一の番号を付してその詳細な説明を省略する。
【００２９】
図１１に示すように、インターホン増設スピーカＤをインターホン親機または副親機の接続端子に接続し、インターホン親機または副親機より出力される音声信号を、移報信号検知回路１で検知する。該移報信号検知回路１は、前記スピーカ端子からの音声信号入力または前記移報端子１７からの接点入力と、該接点入力を警報あるいは報知として設定する切替えスイッチからの信号により、警報あるいは報知と判断する。
【００３０】
スピーカ２は、移報信号検知回路からの信号により報知音または警報音を出力する。又同時に増設スピーカ端子１０にも移報信号検知回路１から報知音あるいは警報音の音声信号が出力される。
【００３１】
一方、発光制御回路４は、前記移報信号検知回路からの信号に応じて光源５を点滅あるいは点灯させる。図１２にその動作フローを示す。なお本実施の形態においては、図１２における警報モードの光源状態とは点滅であり、報知モードの光源状態とは点灯とされているが、視認性をあげるために警報モードは１秒間に３回点滅、報知モードは１秒間に１回点滅というように各モード毎に、その点滅周期を変えてもよい。
【００３２】
【発明の効果】
以上の説明から理解できるように、請求項１に記載の表示機能付インターホン増設スピーカによれば、インターホン親機やインターホン副親機から出力される音声信号を受け、その信号に応じて点滅あるいは点灯する光源を備えているので、音声信号の聞き取れない高騒音下での住居人や聴覚障害者にも、来客報知や警報報知が適切に選別できる。
【００３３】
請求項２または３に記載の表示機能付インターホン増設スピーカによれば、インターホン親機やインターホン副親機からの音声信号入力を警報あるいは報知として適切且つ迅速に選別可能となる。
【００３４】
請求項４に記載の表示機能付インターホン増設スピーカによれば、接続するインターホン親機やインターホン副親機の種別つまり移報信号出力端子としての警報端子又は報知端子を備えているか否かにより、都度それに応じた表示機能付インターホン増設スピーカを設置する必要がなくなるとともに、インターホン親機やインターホン副親機からの音声信号入力を警報あるいは報知として適切且つ迅速に選別可能となる。
【図面の簡単な説明】
【図１】  本発明の第一の実施の形態に係る表示機能付インターホン増設スピーカの基本構成を示すブロック図である。
【図２】  上記表示機能付インターホン増設スピーカの接続端子図である。
【図３】  上記表示機能付インターホン増設スピーカの動作フローである。
【図４】  本発明の第２の実施の形態に係る表示機能付インターホン増設スピーカの基本構成を示すブロック図である。
【図５】  上記表示機能付インターホン増設スピーカの接続端子図である。
【図６】  上記表示機能付インターホン増設スピーカの動作フローである。
【図７】  本発明の第３の実施の形態に係る表示機能付インターホン増設スピーカの基本構成を示すブロック図である。
【図８】  上記表示機能付インターホン増設スピーカの接続端子図である。
【図９】  上記表示機能付インターホン増設スピーカの動作フローである。
【図１０】  本発明の第４の実施の形態に係る表示機能付インターホン増設スピーカの基本構成を示すブロック図である。
【図１１】  上記表示機能付インターホン増設スピーカの接続端子図である。
【図１２】  上記表示機能付インターホン増設スピーカの動作フローである。
【図１３】  従来の表示機能付インターホン増設スピーカの基本構成を示すブロック図である。
【図１４】  上記表示機能付インターホン増設スピーカの接続端子図である。
【図１５】  上記表示機能付インターホン増設スピーカの鳴動時間または光源の点滅周期の変化を示すタイムチャートの一例である。
【図１６】  上記表示機能付インターホン増設スピーカの動作フローである。
【符号の説明】
Ａ，Ｂ，Ｃ，Ｄ，Ｅ・・・表示機能付インターホン増設スピーカ
１・・・移報信号検知回路
２・・・スピーカ
４・・・発光制御回路
５・・・光源
【図１】
0003797800.tif 000002
【図２】
0003797800.tif 000003
【図３】
0003797800.tif 000004
【図４】
0003797800.tif 000005
【図５】
0003797800.tif 000006
【図６】
0003797800.tif 000007
【図７】
0003797800.tif 000008
【図８】
0003797800.tif 000009
【図９】
0003797800.tif 000010
【図１０】
0003797800.tif 000011
【図１１】
0003797800.tif 000012
【図１２】
0003797800.tif 000013
【図１３】
0003797800.tif 000014
【図１４】
0003797800.tif 000015
【図１５】
0003797800.tif 000016
【図１６】
0003797800.tif 000017